(57)【要約】【課題】バランス良く、安定的に保持及び保護でき、コンパクトに、展示可能な状態に包装でき、複数組のカップとソーサーを、簡単に箱詰めでき、箱内に無駄なく効率良く詰められ、構成簡素で、材料の無駄が少なく、材料を効率良く使用でき、量産に適し、低廉で、取扱い、組立が容易で、堅牢で、耐久性に優れ、経済的で、陳列、箱詰め、保管、運搬等がし易い包装体を提供する。【解決手段】ソーサーＢの収容部と、この収容部の略後半分上方部分に配するカップＡの収容部とを有し、ソーサーＢの収容部を、底板１と、底板１の上方に略平行に配する中仕切板４と、底板１と中仕切板４の左右側縁部を連設する左右側壁部とで構成し、カップＡの収容部を、中仕切板４の略後半分と、中仕切板４の後半分の上方に略平行に配する上板７と、上板７の左右側縁部分と前記左右側壁部とを連設する左右連結壁部とで構成する。【選択図】        図４
2005075352.tif 000002
【特許請求の範囲】
【請求項１】
段ボール材等によって形成可能となると共に、一組のカップとソーサーを展示可能な状態のまま包装できるように構成した包装体であって、ソーサーの収容部と、このソーサーの収容部の略後半分上方部分に配されるカップの収容部とを有し、前記ソーサーの収容部を、底板と、この底板の上方に略平行に配される中仕切板と、底板と中仕切板の左右側縁部を連設する左右側壁部とで構成し、前記カップの収容部を、前記中仕切板の略後半分と、この中仕切板の後半分の上方に略平行に配される上板と、この上板の左右側縁部分と前記左右側壁部とを連設する左右連結壁部とで構成したことを特徴とするカップ及びソーサー用包装体。
【請求項２】
底板と中仕切板でソーサーを上下から挟めるように形成すると共に、左右側壁部でソーサーの外周縁部分を左右方向から挟めるように形成し、中仕切板の前部及び後部に切込線を夫々設けて一対の押え片を形成し、この一対の押え片で、ソーサーの外周縁部分を前後方向から挟めるよう構成したことを特徴とする請求項１記載のカップ及びソーサー用包装体。
【請求項３】
中仕切板の後部に切込線を設けて緩衝片を形成すると共に、カップの底部が収容可能となる底部収容孔部が設けられるように形成し、中仕切板の後部がわの押え片に切込線を設けて緩衝小片を形成し、前記緩衝片と緩衝小片がソーサーの上面とカップの底部との間に介装できるよう構成したことを特徴とする請求項１または請求項２記載のカップ及びソーサー用包装体。
【請求項４】
中仕切板と上板でカップを上下から挟めるように形成し、上板の前部及び後部に切込線を夫々設けて一対の押え片を形成し、この一対の押え片が、カップの上端内周面部分に当接して、カップの前後方向への移動を規制できるように形成し、上板の右側部或いは左側部に切込線を設けて押え片を形成し、この押え片が、カップの上端内周面部分に当接して、カップの右方向或いは左方向への移動を規制できるように形成し、左右連結壁部を左右斜板で構成し、左斜板或いは右斜板に切込線を設けて保持片と保持溝部を形成し、この保持溝部に、少なくともカップの取手の一部が収まって、カップの旋回を規制できるように形成すると共に、保持片に、カップの取手が当接して、カップの左方向或いは右方向への移動を規制できるよう構成したことを特徴とする請求項１または請求項２または請求項３記載のカップ及びソーサー用包装体。
【発明の詳細な説明】
【０００１】
【発明の属する技術分野】
本発明は、一組のカップとソーサーを、バランス良く、且つ安定的に保持及び保護できるようにすると共に、よりコンパクトに、且つ展示可能な状態に包装でき、更に、箱（カートン）詰めが簡単に行えると共に、箱内に効率良く詰められるように工夫したカップ及びソーサー用包装体に関するものである。
【０００２】
【従来の技術】
従来、この種のカップとソーサーを包装する手段としては、例えば、長方形状の箱に包み紙で包んだカップとソーサーを収納するようにしたものが多く採用されている。しかも、これを展示販売する際は、カップとソーサーが良く視認できるように包み紙を取除くと共に、蓋を開けた箱内に収容した状態で展示するようにしたものが多く見受けられる。
また、特許文献１のような食器（スプーン等）の包装手段としての包装具が提案されており、これは、包装具本体に平面を被収容物とほぼ同一形状の収容部を形成し、前記収容部の上部開口部の幅を前記被収容物の幅よりやや狭く形成し、かつ前記収容部の長手方向に前記被収容物の端部を係止する係止受け部を設けたものである。
【０００３】
【特許文献１】
実用新案登録第３０２９３６６号
【０００４】
【発明が解決しようとする課題】
ところが、前述の如きカップとソーサーの包装手段にあっては、包み紙を取除き、蓋を開けた箱内にカップとソーサーが良く見えるように収容した状態で展示しておき、これが購買された時には、カップとソーサーを包み紙で包んで箱内に収納した状態で運搬してもらうようになるため、その取扱いが面倒となる難点や、コンパクトな陳列、展示状態が期待できない等の難点があった。しかも、包み紙で包まれたカップとソーサーは、比較的大きめの箱内に収納されるようになるため、箱内に無駄なスペースが多く、効率の良い収納が期待できず、ひいては、一つの箱（カートン）に詰めることができるカップとソーサーのセットの数も少なくなる等の難点もあった。
また、前述の如き包装具にあっては、食器（スプーン等）を安定的に収容できるようになると共に、食器（スプーン等）を視認し易い状態で収容できるようにはなるが、複数の食器（スプーン等）の間に無駄なスペースが多く、包装具全体をコンパクトに構成し難い難点があった。ひいては、複数の包装具を陳列するときや、箱詰めや、保管や、運搬等のときに、不利となる難点等があった。
【０００５】
【課題を解決するための手段】
そこで、本発明は、前述の如き難点等を解消すべく創出されたもので、請求項１記載のカップ及びソーサー用包装体にあっては、段ボール材等によって形成可能となると共に、一組のカップＡとソーサーＢを展示可能な状態のまま包装できるように構成した包装体であって、ソーサーＢの収容部と、このソーサーＢの収容部の略後半分上方部分に配されるカップＡの収容部とを有し、前記ソーサーＢの収容部を、底板１と、この底板１の上方に略平行に配される中仕切板４と、底板１と中仕切板４の左右側縁部を連設する左右側壁部とで構成し、前記カップＡの収容部を、前記中仕切板４の略後半分と、この中仕切板４の後半分の上方に略平行に配される上板７と、この上板７の左右側縁部分と前記左右側壁部とを連設する左右連結壁部とで構成する手段を採用した。
【０００６】
また、請求項２記載のカップ及びソーサー用包装体にあっては、底板１と中仕切板４でソーサーＢを上下から挟めるように形成すると共に、左右側壁部でソーサーＢの外周縁部分を左右方向から挟めるように形成し、中仕切板４の前部及び後部に切込線を夫々設けて一対の押え片１３、１４を形成し、この一対の押え片１３、１４で、ソーサーＢの外周縁部分を前後方向から挟めるよう構成する手段を採用した。
【０００７】
更に、請求項３記載のカップ及びソーサー用包装体にあっては、中仕切板４の後部に切込線を設けて緩衝片１６を形成すると共に、カップＡの底部が収容可能となる底部収容孔部が設けられるように形成し、中仕切板４の後部がわの押え片１４に切込線を設けて緩衝小片１５を形成し、前記緩衝片１６と緩衝小片１５がソーサーＢの上面とカップＡの底部との間に介装できるよう構成する手段を採用した。
【０００８】
そして、請求項４記載のカップ及びソーサー用包装体にあっては、中仕切板４と上板７でカップＡを上下から挟めるように形成し、上板７の前部及び後部に切込線を夫々設けて一対の押え片１７、１８を形成し、この一対の押え片１７、１８が、カップＡの上端内周面部分に当接して、カップＡの前後方向への移動を規制できるように形成し、上板７の右側部或いは左側部に切込線を設けて押え片１９を形成し、この押え片１９が、カップＡの上端内周面部分に当接して、カップＡの右方向或いは左方向への移動を規制できるように形成し、左右連結壁部を左右斜板６、８で構成し、左斜板８或いは右斜板６に切込線を設けて保持片２０と保持溝部２１を形成し、この保持溝部２１に、少なくともカップＡの取手の一部が収まって、カップＡの旋回を規制できるように形成すると共に、保持片２０に、カップＡの取手が当接して、カップＡの左方向或いは右方向への移動を規制できるよう構成する手段を採用した。
【０００９】
【発明の実施の形態】
以下、本発明を図示例に基づいて説明すると、次の通りである。
本発明は、一枚（或いは、複数枚で構成されたものでも良い）の段ボール材等（例えば，紙製段ボール材や、合成樹脂製段ボール材や、複合材による段ボール材や、或いは、適宜緩衝性を備えた比較的厚い板状の材料でも良い。）によって形成可能となると共に、一組のカップＡとソーサーＢを展示可能な状態に包装できるよう構成した包装体である。
【００１０】
そして、この本発明の包装体は、ソーサーＢの収容部と、このソーサーＢの収容部の略後半分上方部分に配されるカップＡの収容部とを有するもので、前記ソーサーＢの収容部は、底板１と、この底板１の上方に略平行に配される中仕切板４と、底板１と中仕切板４の左右側縁部を連設する左右側壁部とで構成し、前記カップＡの収容部は、前記中仕切板４の略後半分と、この中仕切板４の後半分の上方に略平行に配される上板７と、この上板７の左右側縁部分と前記左右側壁部とを連設する左右連結壁部とで構成してある。
すなわち、この包装体は、前後方向及び上下方向の向きを換えて交互に重ねた状態（例えば、図５に示すように、上方の包装体のカップＡの収容部を、下方の包装体のソーサーＢの収容部の略前半部分の上に重ねるようにすると共に、下方の包装体のカップＡの収容部の上に、上方の包装体のソーサーＢの収容部の略前半部分を重ねるようにした状態）とすることができ、複数の包装体をよりコンパクトに纏めることができるように構成されている。尚、包装体の交互に重ねる向きは、上下方向だけでなく、前後方向や、左右方向や、その他の方向であっても良い。ところで、包装体は、前後方向及び上下方向の向きを換えて交互に重ならないように構成したものであっても良い。
【００１１】
更に、前記ソーサーＢの収容部は、底板１と中仕切板４でソーサーＢを上下から挟めるように形成すると共に、左右側壁部でソーサーＢの外周縁部分を左右方向から挟めるように形成されている。
加えて、中仕切板４の前部及び後部には、切込線を夫々設けて一対の押え片１３、１４を形成し、この一対の押え片１３、１４で、ソーサーＢの外周縁部分を前後方向から挟めるよう構成されている。
【００１２】
また、前記カップＡの収容部は、中仕切板４の後部に切込線を設けて緩衝片１６を形成すると共に、カップＡの底部が収容可能となる底部収容孔部が設けられるように形成されている。
しかも、中仕切板４の後部がわの押え片１４に切込線を設けて緩衝小片１５を形成し、前記緩衝片１６と緩衝小片１５がソーサーＢの上面とカップＡの底部との間に介装できるよう構成されている。
【００１３】
更に、前記カップＡの収容部は、中仕切板４と上板７でカップＡを上下から挟めるように形成し、上板７の前部及び後部に切込線を夫々設けて一対の押え片１７、１８を形成し、この一対の押え片１７、１８が、カップＡの上端内周面部分に当接して、カップＡの前後方向への移動を規制できるように形成されている。加えて、上板７の右側部或いは左側部には、切込線を設けて押え片１９を形成し、この押え片１９が、カップＡの上端内周面部分に当接して、カップＡの右方向或いは左方向への移動を規制できるように形成されている。
【００１４】
しかも、前記左右連結壁部は、例えば、左右斜板６、８で構成され、左斜板８或いは右斜板６には、切込線を設けて保持片２０と保持溝部２１を形成し、この保持溝部２１に、少なくともカップＡの取手の一部が収まって、カップＡの旋回を規制できるように形成すると共に、保持片２０に、カップＡの取手が当接して、カップＡの左方向或いは右方向への移動を規制できるよう構成されている。尚、左右連結壁部は、前記左右斜板６、８以外で構成することもできる。
【００１５】
図２は、本発明の包装体の一例を展開図で示したもので、これを具体的に説明すると、略舌片状の底板１の後がわ右側縁に折目線を介して略矩形状の外右側板２を連設し、底板１の後がわ左側縁に折目線を介して略矩形状の内左側板３を連設し、この内左側板３の上端縁に折目線を介して略舌片状の中仕切板４を連設し、この中仕切板４の後がわ右側縁に折目線を介して略矩形状の内右側板５を連設し、外右側板２の上端縁に折目線を介して略矩形状の右斜板６を連設し、この右斜板６の上端縁に折目線を介して略矩形状（正方形状）の上板７を連設し、この上板７の左側縁に折目線を介して略矩形状の左斜板８を連設し、この左斜板８の下端縁に折目線を介して略矩形状の外左側板９を連設して構成されている。
【００１６】
更に、外右側板２の上端縁がわに差込孔１０を設け、内左側板３の下端縁がわに差込孔１１を設け、中仕切板４の右側縁には、前記差込孔１０に差込み可能となる差込突片１２を延設し、外左側板９の下端縁には、前記差込孔１１に差込み可能となる略矩形状の差込片２２を折目線を介して連設してある。すなわち、差込突片１２を差込孔１０に差込み、差込片２２を差込孔１１に差込むようにすることで、ソーサーＢが収容される略偏平矩形筒状の収容部と、カップＡが収容される略等脚台形筒状の収容部とが設けられるように構成されている。
尚、右側壁部は、内右側板５と外右側板２とによって構成され、左側壁部は、内左側板３と外左側板９とによって構成され、優れた強度や耐久性等が発揮できるようにしてある。
【００１７】
加えて、中仕切板４には、前端寄りに略溝状の切込線を切設することによって設けられる略矩形状の押え片１３を形成し、後端寄りに略溝状の切込線を切設することによって設けられる略矩形状の押え片１４を形成し、この押え片１４には、略溝状の切込線を切設することによって設けられる略矩形状の緩衝小片１５を形成し、押え片１４の前方には、カップＡの底部形状の一部に略合致するような適宜切込線を切設することによって設けられる緩衝片１６を形成してある。尚、この緩衝片１６を形成するために設けられた切込線部分が、カップＡの底部収容孔部分となる。
そして、押え片１３、１４を下方に折曲げることで、ソーサーＢの外周縁部分を前後方向から挟めるようになり、前記緩衝片１６と緩衝小片１５がソーサーＢの上面とカップＡの底部との間に介装されて、カップＡとソーサーＢとの接触を防止できるようにしている。
【００１８】
また、上板７には、前端部に折目線を介して略矩形状の押え片１７を連設し（或いは、前端部に切込線を切設して略矩形状の押え片１７を形成し）、後端部に折目線を介して略矩形状の押え片１８を連設し（或いは、後端部に切込線を切設して略矩形状の押え片１８を形成し）、左側端がわ部分と右斜板６とに跨るように略溝状の切込線を切設することによって設けられる略矩形状の押え片１９を形成してある。そして、これら押え片１７、１８、１９は、下方に折曲げることで、カップＡの上端内周面部分に当接して、カップＡの前後方向への移動及び右方向への移動を阻止するようになる。
【００１９】
更に、左斜板８には、上板７の一部（左側端がわ部分）にも及ぶような一対の平行な切込線を切設することによって設けられる保持片２０を形成してあり、この保持片２０を外方に湾出することによって、切込線部分に保持溝部２１が形成されるようにしてある。すなわち、この保持溝部２１部分にカップＡの取手の一部が収まると共に、保持片２０がカップＡの取手の一部を覆うようになって、カップＡの旋回を阻止すると共に、カップＡの左方向への移動を阻止するようになる。
【００２０】
前記底板１は、例えば、ソーサーＢの寸法に応じて形成され、ソーサーＢより僅かに大きくなるように形成されている。しかも、その前端縁部分は、略半円状を呈し、ソーサーＢの外周縁に略沿うように形成されている。また、その後端縁部分は、直線状を呈し、この後端縁部分を下にして載置できるように形成してある。尚、底板１の具体的構成、形状、寸法、材質等は、図示例のもの等に限定されることなく、適宜自由に設定、変更できるものである。
【００２１】
前記中仕切板４は、例えば、前記底板１と同様に、ソーサーＢの寸法に応じて形成され、ソーサーＢより僅かに大きくなるように形成されている。しかも、その前端縁部分は、略半円状を呈し、ソーサーＢの外周縁に略沿うように形成されており、また、その後端縁部分は、直線状を呈し、この後端縁部分を下にして載置できるように形成してある。尚、中仕切板４の具体的構成、形状、寸法、材質等は、図示例のもの等に限定されることなく、適宜自由に設定、変更できるものである。ところで、中仕切板４には、その強度が極端に低下しない程度に、適宜貫通孔を設けたり、押え片１３の切込線を大きく形成すること等が可能で、中仕切板４の下のソーサーＢがより視認し易くなるように形成することができる。
【００２２】
前記左右側壁部を構成する外右側板２、内左側板３、内右側板５、外左側板９は、例えば、底板１や中仕切板４の前後長さの略半分程度の長さの略細長矩形状を呈し、その幅はソーサーＢの厚み及び底板１、中仕切板４の厚みに応じて形成されている。特に、その後端縁部分は、直線状を呈し、この後端縁部分を下にして載置できるように形成してある。尚、外右側板２、内左側板３、内右側板５、外左側板９の具体的構成、形状、寸法、材質、配設位置等は、図示例のもの等に限定されることなく、適宜自由に設定、変更できるものである。
【００２３】
前記上板７は、例えば、カップＡの寸法に応じて形成され、カップＡの上端外周縁より僅かに大きくなるように形成されている。しかも、その後端縁部分は、底板１や中仕切板４や外右側板２や内左側板３や内右側板５や外左側板９の後端縁に揃うような直線状を呈し、この後端縁部分を下にして安定的に載置できるように形成してある。尚、上板７の具体的構成、形状、寸法、材質等は、図示例のもの等に限定されることなく、適宜自由に設定、変更できるものである。
【００２４】
前記左右斜板６、８は、例えば、カップＡの寸法に応じて形成され、カップＡの上端外周縁より僅かに大きくなるように形成されている。しかも、その後端縁部分は、底板１や中仕切板４や外右側板２や内左側板３や内右側板５や外左側板９や上板７の後端縁に揃うような直線状を呈し、この後端縁部分を下にして安定的に載置できるように形成してある。尚、左右斜板６、８の具体的構成、形状、寸法、材質等は、図示例のもの等に限定されることなく、適宜自由に設定、変更できるものである。
【００２５】
ところで、包装体の具体的構成、形状、寸法、材質、左右側壁部の具体的構成、形状、寸法、配設位置、左右連結壁部の具体的構成、形状、寸法、配設位置、差込孔１０の具体的構成、形状、寸法、配設位置、差込孔１１の具体的構成、形状、寸法、配設位置、差込突片１２の具体的構成、形状、寸法、材質、押え片１３の具体的構成、形状、寸法、材質、押え片１４の具体的構成、形状、寸法、材質、緩衝小片１５の具体的構成、形状、寸法、材質、緩衝片１６の具体的構成、形状、寸法、材質、押え片１７の具体的構成、形状、寸法、材質、押え片１８の具体的構成、形状、寸法、材質、押え片１９の具体的構成、形状、寸法、材質、保持片２０の具体的構成、形状、寸法、材質、保持溝部２１の具体的構成、形状、寸法、配設位置、差込片２２の具体的構成、形状、寸法、材質、カップＡの具体的構成、形状、寸法、材質、ソーサーＢの具体的構成、形状、寸法、材質等は、図示例のもの等に限定されることなく、適宜自由に設定、変更できるものである。
【００２６】
【発明の効果】
従って、請求項１記載の包装体は、段ボール材等によって形成可能となると共に、一組のカップＡとソーサーＢを展示可能な状態のまま包装できるように構成した包装体であって、ソーサーＢの収容部と、このソーサーＢの収容部の略後半分上方部分に配されるカップＡの収容部とを有し、前記ソーサーＢの収容部を、底板１と、この底板１の上方に略平行に配される中仕切板４と、底板１と中仕切板４の左右側縁部を連設する左右側壁部とで構成し、前記カップＡの収容部を、前記中仕切板４の略後半分と、この中仕切板４の後半分の上方に略平行に配される上板７と、この上板７の左右側縁部分と前記左右側壁部とを連設する左右連結壁部とで構成したので、一組のカップとソーサーを、バランス良く、且つ安定的に保持及び保護できるようになると共に、よりコンパクトに、且つ展示可能な状態に包装できるようになる。しかも、構成が簡素で、材料（段ボール材等）の無駄が少なく、材料（段ボール材等）を効率良く使用でき、量産に適し、低廉で、取扱いや、組立が容易で、堅牢で、耐久性に優れ、リサイクルし易く、経済的で、カップＡ及びソーサーＢ用として最適な包装体となる。
更に、複数組のカップとソーサーを、簡単に箱（カートン）詰めできるようになると共に、箱（カートン）内に無駄なく効率良く詰められるようになる。
特に、前後方向及び上下方向の向きを換えて交互に重ねた状態（例えば、図５に示すように、上方の包装体のカップＡの収容部を、下方の包装体のソーサーＢの収容部の略前半部分の上に重ねるようにすると共に、下方の包装体のカップＡの収容部の上に、上方の包装体のソーサーＢの収容部の略前半部分を重ねるようにした状態）とすることにより、全体が嵩張ることなくコンパクトに纏まった状態となり、陳列、箱（カートン）詰め、保管、運搬等がし易いものとなる。
【００２７】
また、請求項２記載の包装体は、底板１と中仕切板４でソーサーＢを上下から挟めるように形成すると共に、左右側壁部でソーサーＢの外周縁部分を左右方向から挟めるように形成し、中仕切板４の前部及び後部に切込線を夫々設けて一対の押え片１３、１４を形成し、この一対の押え片１３、１４で、ソーサーＢの外周縁部分を前後方向から挟めるよう構成したので、ソーサーＢを、安定的に且つバランス良く、保持及び保護できるようになる。しかも、ソーサーＢは、前後方向からその形状を容易に視認できるようになり、購買者が選択し易いものとなる。
【００２８】
更に、請求項３記載の包装体は、中仕切板４の後部に切込線を設けて緩衝片１６を形成すると共に、カップＡの底部が収容可能となる底部収容孔部が設けられるように形成し、中仕切板４の後部がわの押え片１４に切込線を設けて緩衝小片１５を形成し、前記緩衝片１６と緩衝小片１５がソーサーＢの上面とカップＡの底部との間に介装できるよう構成したので、カップＡの底部を確実に且つ安定的に保持できるようになると共に、カップＡとソーサーＢとの接触を確実に阻止できるようになり、優れた緩衝性を発揮できるものとなる。
【００２９】
そして、請求項４記載の包装体は、中仕切板４と上板７でカップＡを上下から挟めるように形成し、上板７の前部及び後部に切込線を夫々設けて一対の押え片１７、１８を形成し、この一対の押え片１７、１８が、カップＡの上端内周面部分に当接して、カップＡの前後方向への移動を規制できるように形成し、上板７の右側部或いは左側部に切込線を設けて押え片１９を形成し、この押え片１９が、カップＡの上端内周面部分に当接して、カップＡの右方向或いは左方向への移動を規制できるように形成し、左右連結壁部を左右斜板６、８で構成し、左斜板８或いは右斜板６に切込線を設けて保持片２０と保持溝部２１を形成し、この保持溝部２１に、少なくともカップＡの取手の一部が収まって、カップＡの旋回を規制できるように形成すると共に、保持片２０に、カップＡの取手が当接して、カップＡの左方向或いは右方向への移動を規制できるよう構成したので、カップＡを、安定的に且つバランス良く、保持及び保護できるようになる。しかも、カップＡは、前後方向からその形状を容易に視認できるようになり、購買者が選択し易いものとなる。
【図面の簡単な説明】
【図１】本発明の包装体を例示する斜視図である。
【図２】本発明の包装体を例示する展開図である。
【図３】本発明の包装体を例示する縦断側面図である。
【図４】本発明の包装体を例示する縦断正面図である。
【図５】本発明の包装体の使用例を示す側面図である。
【符号の説明】
１      底板                          ２      外右側板
３      内左側板                      ４      中仕切板
５      内右側板                      ６      右斜板
７      上板                          ８      左斜板
９      外左側板
１０    差込孔                        １１    差込孔
１２    差込突片                      １３    押え片
１４    押え片                        １５    緩衝小片
１６    緩衝片                        １７    押え片
１８    押え片                        １９    押え片
２０    保持片                        ２１    保持溝部
２２    差込片
Ａ      カップ                        Ｂ      ソーサー
【図１】
2005075352.tif 000003
【図２】
2005075352.tif 000004
【図３】
2005075352.tif 000005
【図４】
2005075352.tif 000006
【図５】
2005075352.tif 000007